(57)【要約】      （修正有）【課題】天井の複数の埋込み開口に対応可能な化粧枠およびこの化粧枠を具備する照明器具を提供する。【解決手段】化粧枠１は、挿通孔６を有する化粧枠本体２と、取付板９、取付板９の一端部に略直角に折り曲げられた折曲部１０および折曲部１０から延出する突片１１をそれぞれ有する一対の取付金具３，３と、折曲部１０および突片１１を挿入可能に化粧枠本体２の上面２ａ側に設けられた一対の起立部１４，１４と、化粧枠本体２の上面２ａ側との間で突片１１を挟み込むように起立部１４の一端部に設けられるとともに取付板９を挿通可能な間隔を有する一対の固定部１５，１５とを有する固定金具４，４と、化粧枠本体２の上面２ａ側との間で天井を挟持する一対の取付部５，５とを具備している。【選択図】図１
2010238580.tif 000002
【特許請求の範囲】
【請求項１】
中央部に器具本体が挿通される孔を有する平板状の化粧枠本体と；  長方形の平板状に形成された取付板、この取付板の一端部に略直角に折り曲げられた折曲部およびこの折曲部から延出する突片をそれぞれ有する一対の取付金具と；  この取付金具の折曲部および突片を挿入可能に前記化粧枠本体の上面側に起立して設けられた一対の起立部と、前記化粧枠本体の上面側との間で前記取付金具の突片を挟み込むように前記起立部の一端部に設けられるとともに前記取付金具の取付板を挿通可能な間隔を有する一対の固定部とを有する一対の保持部と；  前記取付金具に取り付けられ、前記化粧枠本体の上面側との間で天井を挟持する一対の取付部と；を具備していることを特徴とする化粧枠。
【請求項２】
請求項１記載の化粧枠と；  光源を有し、前記化粧枠の化粧枠本体の孔に挿通されて、一対の取付金具または前記化粧枠本体に取り付けられた器具本体と；を具備することを特徴とする埋込型照明器具。
【発明の詳細な説明】
【技術分野】
【０００１】
天井等の造営物に器具本体を固定する化粧枠およびこの化粧枠を具備する埋込型照明器具に関する。
【背景技術】
【０００２】
埋込型照明器具には、ダウンライトのように、器具本体を化粧枠に固定して天井に設けた開口に挿入し、化粧枠と複数の取付ばねにより、天井を挟持して天井面に固定されている。  
【０００３】
そして、特許文献１のダウンライトの枠体構造に示すように、天板と、天板から下方に延長する複数の側方枠体と、側方枠体の下方端に固定される下部枠体とが別体に形成されたものがある。その側方枠体は、その上方端部を略直角に折り曲げた折曲部を有し、この折曲部の先端部が天板の挿入口に挿入されている。この挿入口は、天板に２本の略平行な切れ目線を設け、一方の面から切れ目線に挟まれた部位を押圧して押し出すことによって形成されているものである。  
【０００４】
しかしながら、上記ダウンライトの枠体構造は、天板、複数の側方枠体および下部枠体が別体に形成されていても、複数の側方枠体が天板に固定されるので、複数の側方枠体の最大外径と下部枠体の最大外径の間の埋め込み開口を有する天井に設置されるものである。すなわち、ダウンライトを設置可能な開口が限定されるものである。
【先行技術文献】
【特許文献】
【０００５】
【特許文献１】特許第４０２０９９６号公報（第３−４頁、第４図）
【発明の概要】
【発明が解決しようとする課題】
【０００６】
既設の埋込型照明器具が設置された天井には、その照明器具の大小に応じて多くの異なる穴径の開口が存在する。そして、既設の照明器具を新品の照明器具に交換しようとすると、その天井の開口径に対応した化粧枠等を備える必要があり、これにより、化粧枠等の品種も多くなり、価格も上昇するものであった。  
【０００７】
本発明は、天井の複数の埋込み開口に対応可能な化粧枠およびこの化粧枠を具備する照明器具を提供することを目的とする。
【課題を解決するための手段】
【０００８】
請求項１に記載の化粧枠の発明は、中央部に器具本体が挿通される孔を有する平板状の化粧枠本体と；長方形の平板状に形成された取付板、この取付板の一端部に略直角に折り曲げられた折曲部およびこの折曲部から延出する突片をそれぞれ有する一対の取付金具と；この取付金具の折曲部および突片を挿入可能に前記化粧枠本体の上面側に起立して設けられた一対の起立部と、前記化粧枠本体の上面側との間で前記取付金具の突片を挟み込むように前記起立部の一端部に設けられるとともに前記取付金具の取付板を挿通可能な間隔を有する一対の固定部とを有する一対の保持部と；前記取付金具に取り付けられ、前記化粧枠本体の上面側との間で天井を挟持する一対の取付部と；を具備していることを特徴とする。  
【０００９】
本発明および以下の発明において、特に言及しない限り、各構成は以下による。  
【００１０】
取付金具の取付板は、その幅が一対の固定部間の間隔よりも小さくなるように形成されていてもよく、一対の固定部間に挿通可能なように当接部分が切り欠きされて形成されていてもよい。  
【００１１】
保持部は、型材や切削等により化粧枠本体と一体化されたものであってもよく、別体に形成されたものを化粧枠本体に強固に固定したものであってもよい。  
【００１２】
本発明によれば、取付金具は、その折曲部または突片から一対の起立部の間に挿入することができる。取付金具を折曲部から挿入する場合には、取付金具の取付板は、一対の固定部間を挿通し、固定部の奥側まで移動される。このとき、突片は、化粧枠本体の上面側と一対の固定部とにより挟み込まれて固定される。これにより、取付金具は、保持部に固定される。  
【００１３】
すなわち、一対の取付金具を、その折曲部側から一対の起立部の間に挿入することにより、一対の取付板間が最小の間隔（最小長）となる。また、一対の取付金具を、その突片側から一対の起立部の間に挿入することにより、一対の取付板間が最大の間隔（最大長）となる。  
【００１４】
ここで、化粧枠本体の上面側と挟み込まれるとは、化粧枠自体または化粧枠から突出形成された突出部と当接する構成であってもよいし、化粧枠との間に別部材を設けてもよい。  
【００１５】
なお、取付金具を３つ以上も請けてもよく、この場合にも、孔の外形から取付金具の取付板までの距離を可変することができる。すなわち、各取付板を通る同心円の径を大きく、又は小さく設定することができる。  
【００１６】
請求項２に記載の埋込型照明器具は、請求項１記載の化粧枠と；光源を有し、前記化粧枠の化粧枠本体の孔に挿通されて、一対の取付金具または前記化粧枠本体に取り付けられた器具本体と；を具備していることを特徴とする。  
【００１７】
本発明によれば、一対の取付金具の取付板間の間隔が可変可能であるので、天井の異なる埋込み開口に対応可能な埋込型照明器具が提供される。
【発明の効果】
【００１８】
請求項１記載の発明によれば、一対の取付金具の取付板間の間隔が可変であるので、天井の異なる埋込み開口に対応可能な化粧枠の品種を少なくすることができ、化粧枠を安価にすることができる。  
【００１９】
請求項２記載の発明によれば、一対の取付金具の取付板間の間隔が可変可能な化粧枠を具備するので、天井の異なる埋込み開口に対応した化粧枠が容易に選択される埋込型照明器具を提供することができる。
【図面の簡単な説明】
【００２０】
【図１】本発明の実施例１を示す化粧枠の概略斜視図。
【図２】同じく、化粧枠の概略横断面図。
【図３】同じく、取付金具の取付方向の異なる化粧枠の概略横断面図。
【図４】本発明の実施例２を示す埋込型照明器具の概略横断面図。
【発明を実施するための形態】
【００２１】
以下、本発明の一実施の形態について、図面を参照して説明する。  
【００２２】
本発明は、一対の取付金具を一対の固定金具に取り付ける取付方向を異ならせることにより、一対の取付板間の間隔（距離）を可変させて、天井の異なる埋込み開口に対応させるものである。
【実施例１】
【００２３】
図１ないし図３は、本発明の実施例１を示し、図１は化粧枠の概略斜視図、図２は化粧枠の概略横断面図、図３は取付金具の取付方向の異なる化粧枠の概略横断面図である。  
【００２４】
図１において、化粧枠１は、化粧枠本体２、一対の取付金具３，３、一対の保持部としての固定金具４，４、一対の取付部としての一対の取付ばね５，５を有して形成されている。  
【００２５】
化粧枠本体は、例えば鋼板からなり、円状に形成されて、中央部に器具本体が挿通される孔６が設けられている。孔６は、器具本体の外形状に沿うように丸孔に形成されている。そして、図示しない下面は、平板状に形成されている。また、上面２ａは、平面状ではあるが、外周縁側および孔６の周縁側が内側に折り曲げられ、また、リブ７やフィン８などの補強材が設けられている。  
【００２６】
一対の取付金具３，３は、取付板９、折曲部１０および突片１１を有して形成されている。取付板９は、長方形の平板状に形成されているとともに、その長手方向に対を成す長条の穴部１２，１２が穿設され、その穴部１２，１２の上方端部には、取付ばね５の脱着口１３，１３が形成されている。穴部１２，１２には、取付ばね５が移動可能に取り付けられている。  
【００２７】
折曲部１０は、取付板９の一端部に略直角に折り曲げられた部分である。この折曲部１０は、取付板９が後述する一対の固定部１５，１５の間を挿通できるように切り欠きされている。突片１１は、折曲部１０から所定長延出している。突片１０は、取付板９に対して略直角となっている。  
【００２８】
そして、一対の固定金具４，４は、一対の起立部１４，１４、一対の固定部１５，１５および壁部１６からなっている。一対の固定金具４，４は、孔９の外周側に、孔９を挟んで回転対称に設けられている。  
【００２９】
一対の起立部１４，１４は、化粧枠本体２の上面２ａに起立して設けられており、化粧枠本体２に一体化されている。そして、内側に取付金具２の折曲部１０および突片１１を挿入できるように、突片１１の横幅よりも幾分大きな間隔で設けられている。  
【００３０】
一対の固定部１５，１５は、一対の起立部１４，１４のそれぞれの一端部に設けられたものであり、化粧枠本体２の上面２ａ側との間で取付金具３の突片１１を挟み込むようにして、かつ取付金具３の取付板９が挿通可能な間隔を有して一対の起立部１４，１４の内側に突出して設けられている。  
【００３１】
壁部１６は、一対の起立部１４，１４の最奥側すなわち孔６の外周側に、化粧枠本体２の上面２ａに起立して設けられており、起立部１４，１４および固定部１５，１５に一体化されている。壁部１６は、一対の起立部１４，１４間に挿入された取付金具３の突片１１、または折曲部１０および取付板９が当接し、取付板９のさらなる移動を阻止するものである。  
【００３２】
また、一対の起立部１４，１４間には、化粧枠本体２の上面２ａ側から突出する突出部１７，１７が設けられている。取付金具３の突片１１は、一対の起立部１４，１４間に挿入されているときに突出部１７，１７に乗り上がり、一対の固定部１５，１５と突出部１７，１７との間で狭持されるものである。これにより、一対の取付金具３，３が一対の固定金具４，４に強固に固定されるものである。  
【００３３】
そして、一対の取付ばね５，５は、取付金具３の穴部１２，１２に移動可能に取り付けられており、化粧枠本体２の上面２ａ側との間で天井を挟持するものである。  
【００３４】
図２は、一対の取付金具３，３を、その折曲部１０側から一対の固定金具４，４の起立部１４，１４間に挿入し、その折曲部１０側を壁部１６に当接させて一対の固定金具４，４に固定した状態で、化粧枠本体２と一対の取付ばね５，５により天井１８を狭持している状態を示す。このときには、取付ばね５，５は、背の長いものが取付板９，９に取り付けられる。そして、一対の取付板９，９の間隔Ｌ１は、最小となり、化粧枠１は、図中、開口径Ｄ１の天井穴１９に取り付けられる。  
【００３５】
また、図３は、一対の取付金具３，３を、その突片１１側から一対の固定金具４，４の起立部１４，１４間に挿入し、その突片１１側を壁部１６に当接させて一対の固定金具４，４に固定した状態で、化粧枠本体２と一対の取付ばね５，５により天井１８を狭持している状態を示す。このときには、取付ばね５，５は、背の短いものが取付板９，９に取り付けられる。そして、一対の取付板９，９の間隔Ｌ２は、最大となり、化粧枠１は、図中、開口径Ｄ２の天井穴２０に取り付けられる。開口径Ｄ２は、開口径Ｄ１よりも突片１１の延出長の２倍程度大きいものである。  
【００３６】
このように、一対の取付金具３，３の一対の固定金具４，４への取付方向を異ならせることにより、一対の取付金具３，４の取付板９，９間の間隔Ｌ１が可変可能であるので、天井１８に設けられた一定の範囲の埋込み開口Ｄ１〜Ｄ２に対して本発明の化粧枠１を用いることができる。したがって、天井１８の異なる埋込み開口に対応可能な化粧枠１の品種を少なくすることができ、化粧枠１を安価にすることができる。  
【００３７】
なお、以上の説明では、異なる寸法の取付ばね５，５を用いた場合について説明したが、取付金具３の取付方向を異ならせることによって、取付金具３，３間の距離Ｌ１およびＬ２に変更できるため、同寸法の取付ばね５，５を用いても異なる径の開口径に対して取付可能である。  
【００３８】
また、一対の取付金具３，３は、その一方を折曲部１０側から、その他方を突片１１側から一対の起立部１３，１３間に挿入して、一対の固定金具４，４に取り付けることも可能である。また、取付金具３，３の折曲部１０側または突片１１の先端部側を固定金具４，４の壁部１６に当接するまで挿入せずに、挿入方向の中間で取付金具３，３を固定金具４，４に固定させることも可能である。この場合、化粧枠１に取り付けられる器具本体の重量等を考慮する必要がある。
【実施例２】
【００３９】
図４は、本発明の実施例２を示す埋込型照明器
具の概略側面図である。なお、図１と同一部分には、同一符号を付して説明は省略する。  
【００４０】
図４に示す埋込型照明器具２１は、ダウンライトであり、図１に示す化粧枠１の化粧枠本体２に設けられた孔９に器具本体２２が挿通されて化粧枠本体２に取り付けられている。器具本体２２の内部には、光源としての発光ダイオード（ＬＥＤ）が複数個も受けられている。器具本体２２は、化粧枠本体と一対の取付ばねが天井１８を挟持していることにより、天井１８に固定されている。  
【００４１】
埋込型照明器具２１は、一対の取付金具３，３の取付板９，９間の間隔Ｌ１が可変可能な本発明の化粧枠１を用いることにより、天井１８の埋込み開口に対応した化粧枠１を容易に選択することができたものである。
【産業上の利用可能性】
【００４２】
本発明は、天井等に埋設されるダウンライトなどの埋込型照明器具に用いることができる。
【符号の説明】
【００４３】
１…化粧枠、  ２…化粧枠本体、  ３，３…取付金具、  ４，４…固定金具、  ５，５…取付部としての取付ばね、  ２１…埋込型照明器具、  ２２…器具本体
【図１】
2010238580.tif 000003
【図２】
2010238580.tif 000004
【図３】
2010238580.tif 000005
【図４】
2010238580.tif 000006